(57)【要約】【課題】コンテンツ再生に係るユーザビリティを向上させること。【解決手段】コンテンツ再生装置１０は、コンテンツのリスト情報に色情報を対応付けて記憶する色情報記憶部１３ａと、コンテンツに係る色の指定を受け付ける表示入力部（タッチパネル）１１と、色情報記憶部１３ａを参照して、表示入力部１１で受け付けた色の指定に対応するコンテンツをコンテンツ記憶部１３ｂから抽出して再生するコンテンツ再生処理部１４ａとを備える。【選択図】        図１
2006201853.tif 000002
【特許請求の範囲】
【請求項１】
所望のコンテンツを再生するコンテンツ再生装置であって、
前記コンテンツに色情報を対応付けて記憶する色情報記憶手段と、
前記コンテンツに係る色の指定を受け付ける色指定受付手段と、
前記色情報記憶手段によって記憶されたコンテンツのうち、前記色指定受付手段で受け付けた色の指定に対応するコンテンツを再生するコンテンツ再生手段と、
を備えたことを特徴とするコンテンツ再生装置。
【請求項２】
前記コンテンツに色情報を対応付ける入力手段をさらに備えたことを特徴とする請求項１に記載のコンテンツ再生装置。
【請求項３】
前記色情報記憶手段は、前記コンテンツに色の要素を対応付けて記憶するものであって、
前記コンテンツ再生手段は、前記色指定受付手段で受け付けた色の指定から色の要素の配分を取得し、当該色の要素の配分に応じた割合で各色の要素のコンテンツを前記色情報記憶手段から抽出して再生することを特徴とする請求項１または２に記載のコンテンツ再生装置。
【請求項４】
前記色情報記憶手段は、前記コンテンツに各色の要素の配分を対応付けて記憶するものであって、
前記コンテンツ再生手段は、前記色指定受付手段で受け付けた色の指定から色の要素の配分を取得し、当該色の要素の配分を満たすコンテンツを前記色情報記憶手段から抽出して再生することを特徴とする請求項１または２に記載のコンテンツ再生装置。
【請求項５】
前記色指定受付手段は、前記コンテンツに係る色の指定を所定の表示部で表示されたカラーマップ上で受け付ける構成であることを特徴とする請求項１〜４のいずれか一つに記載のコンテンツ再生装置。
【請求項６】
所望のコンテンツを再生するコンテンツ再生装置であって、
人の心理状態ごとに、該心理状態に適したコンテンツを対応付けて記憶する適性コンテンツ記憶手段と、
自車両の運転状況および／または自車両に係る環境から運転者の心理状態を推定する心理状態推定手段と、
前記適性コンテンツ記憶手段によって記憶されたコンテンツのうち、前記心理状態推定手段によって推定された運転者の心理状態に適したコンテンツを再生するコンテンツ再生手段と、
を備えたことを特徴とするコンテンツ再生装置。
【発明の詳細な説明】
【技術分野】
【０００１】
本発明は、所望のコンテンツ（例えば、音声、動画、画像、テキストその他の情報）を再生するコンテンツ再生装置に関する。
【背景技術】
【０００２】
従来より、所望の記録媒体（例えば、ＣＤ−ＲＯＭ、ＭＯディスク、ＤＶＤディスク、光磁気ディスクなどの可搬用の記録媒体、またはハードディスクドライブ（ＨＤＤ）などの固定用の記録媒体など）からの読み出し処理、またはサーバ装置からネットワークを介して取得する取得処理によって得られる「コンテンツ」を再生するコンテンツ再生装置が知られている。なお、かかる「コンテンツ」とは、音声、動画、画像、テキストその他の情報を指す。
【０００３】
例えば、特許文献１では、複数ユーザに使用され、多くのコンテンツが記録されるような記録媒体におけるファイル管理（コンテンツ 管理）を簡便、容易にするために、記録媒体に記録されるコンテンツのコンテンツ情報、当該記録再生装置を使用する複数のユーザについてのユーザ情報、並びに各ユーザごとのコンテンツ再生可否を表す再生項目が関連付けられた記録再生履歴情報に対して、コンテンツが再生される度に当該コンテンツを再生したユーザに係る再生項目を更新する記録再生装置が開示されている。
【０００４】
ここで、かかる記録再生装置では、ユーザが視聴を希望するコンテンツ（ファイル）を再生しようとする場合には、ファイル名やファイルの更新日時、ファイルの再生可否を示す再生項目など、コンテンツの属性に係る情報をユーザに視認させることによってユーザが所望するコンテンツを特定させ、このようにして特定させたコンテンツの指定を受け付けることでユーザが所望するコンテンツを再生している。
【０００５】
【特許文献１】特開２００４−１９９７４１号公報
【発明の開示】
【発明が解決しようとする課題】
【０００６】
しかしながら、上記の従来技術（特許文献１）では、ファイル名やファイルの更新日時、ファイルの再生可否を示すファイルの属性情報からユーザが所望するコンテンツを特定させて再生をおこなうものであるため、コンテンツ（ファイル）の属性情報からコンテンツの内容が想定できなければユーザが所望するコンテンツを再生することができない。
【０００７】
さらに、近年では、映像や音声などを対象とする圧縮技術の発達、並びに記録媒体の高密度化に伴う高容量化が進んでおり、かかる記録媒体に格納されるコンテンツ（ファイル）の数は、数百ファイルに登ることもあるため、ユーザがコンテンツ（ファイル）の属性情報とコンテンツの内容との関連付けを網羅的に把握することは極めて困難である。
【０００８】
このため、上記の従来技術のように、コンテンツの属性情報をユーザに認識させることによってユーザが所望するコンテンツを特定させようとしても、コンテンツ（ファイル）の属性情報とコンテンツの内容との関連付けが網羅的に把握されていないため、ユーザが所望するコンテンツを再生することができず、ユーザの利便性を損なうものであると言わざるを得なかった。
【０００９】
そこで、本発明は、上述した従来技術による課題（問題点）を解消するためになされたものであり、コンテンツ再生に係るユーザビリティを向上させることができるコンテンツ再生装置を提供することを目的とする。
【課題を解決するための手段】
【００１０】
上述した課題を解決し、目的を達成するために、請求項１の発明に係るコンテンツ再生装置は、所望のコンテンツを再生するコンテンツ再生装置であって、前記コンテンツに色情報を対応付けて記憶する色情報記憶手段と、前記コンテンツに係る色の指定を受け付ける色指定受付手段と、前記色情報記憶手段によって記憶されたコンテンツのうち、前記色指定受付手段で受け付けた色の指定に対応するコンテンツを再生するコンテンツ再生手段と、を備えたことを特徴とする。
【００１１】
また、請求項２の発明に係るコンテンツ再生装置は、上記の発明において、前記コンテンツに色情報を対応付ける入力手段をさらに備えたことを特徴とする。
【００１２】
また、請求項３の発明に係るコンテンツ再生装置は、上記の発明において、前記色情報記憶手段は、前記コンテンツに色の要素を対応付けて記憶するものであって、前記コンテンツ再生手段は、前記色指定受付手段で受け付けた色の指定から色の要素の配分を取得し、当該色の要素の配分に応じた割合で各色の要素のコンテンツを前記色情報記憶手段から抽出して再生することを特徴とする。
【００１３】
また、請求項４の発明に係るコンテンツ再生装置は、上記の発明において、前記色情報記憶手段は、前記コンテンツに各色の要素の配分を対応付けて記憶するものであって、前記コンテンツ再生手段は、前記色指定受付手段で受け付けた色の指定から色の要素の配分を取得し、当該色の要素の配分を満たすコンテンツを前記色情報記憶手段から抽出して再生することを特徴とする。
【００１４】
また、請求項５の発明に係るコンテンツ再生装置は、上記の発明において、前記色指定受付手段は、前記コンテンツに係る色の指定を所定の表示部で表示されたカラーマップ上で受け付ける構成であることを特徴とする。
【００１５】
また、請求項６の発明に係るコンテンツ再生装置は、所望のコンテンツを再生するコンテンツ再生装置であって、人の心理状態ごとに、該心理状態に適したコンテンツを対応付けて記憶する適性コンテンツ記憶手段と、自車両の運転状況および／または自車両に係る環境から運転者の心理状態を推定する心理状態推定手段と、前記適性コンテンツ記憶手段によって記憶されたコンテンツのうち、前記心理状態推定手段によって推定された運転者の心理状態に適したコンテンツを再生するコンテンツ再生手段と、を備えたことを特徴とする。
【発明の効果】
【００１６】
本発明によれば、コンテンツに色情報を対応付けて記憶し、このようにして記憶されたコンテンツのうち、コンテンツの指定として受け付けた色の指定に対応するコンテンツを再生することとしたので、コンテンツの内容と直感的に結びつく色印象の指定をもとにユーザが所望するコンテンツを再生することができ、コンテンツ再生に係るユーザビリティを向上させることが可能なコンテンツ再生装置が得られるという効果を奏する。
【００１７】
また、本発明によれば、コンテンツに色情報を対応付ける入力手段を有することとしたので、任意のコンテンツにユーザが所望する色を対応付けた管理ファイル（色情報記憶手段）を作成することができ、ユーザの色印象に合ったコンテンツを確実に再生することが可能なコンテンツ再生装置が得られるという効果を奏する。
【００１８】
また、本発明によれば、コンテンツに色の要素を対応付けて記憶し、受け付けた色の指定から色の要素の配分を取得し、当該色の要素の配分に応じた割合で各色の要素のコンテンツを抽出して再生することとしたので、ユーザが所望する色印象に主眼を置いたコンテンツの連続再生をおこなうことができ、コンテンツ再生に係るユーザビリティをより効果的に向上させることが可能なコンテンツ再生装置が得られるという効果を奏する。
【００１９】
また、本発明によれば、コンテンツに各色の要素の配分を対応付けて記憶し、受け付けた色の指定から色の要素の配分を取得し、当該色の要素の配分を満たすコンテンツを抽出して再生することとしたので、ユーザが所望するコンテンツを的確に再生することができ、コンテンツ再生に係るユーザビリティをより一層向上させることが可能なコンテンツ再生装置が得られるという効果を奏する。
【００２０】
また、本発明によれば、コンテンツに係る色の指定を所定の表示部で表示されたカラーマップ上で受け付ける構成を採用することとしたので、コンテンツから得られる色印象を正確に色の指定に反映することが可能なコンテンツ再生装置が得られるという効果を奏する。
【００２１】
また、本発明によれば、人の心理状態ごとに、該心理状態に適したコンテンツを対応付けて記憶し、自車両の運転状況および／または自車両に係る環境から運転者の心理状態を推定し、記憶されたコンテンツのうち、推定された運転者の心理状態に適したコンテンツを再生することとしたので、運転者の心理状態を車両の運転に好ましい心理状態に誘導することが可能なコンテンツ再生装置が得られるという効果を奏する。
【発明を実施するための最良の形態】
【００２２】
以下に添付図面を参照して、本発明に係るコンテンツ再生装置の好適な実施例を詳細に説明する。なお、以下では、本実施例１および２に係るコンテンツ再生装置を説明した後に、他の実施例として種々の変形例（実施例３）を説明することとする。
【実施例１】
【００２３】
まず最初に、本実施例１に係るコンテンツ再生装置について説明する。図１は、本実施例１に係るコンテンツ再生装置の構成を示すブロック図である。同図に示すように、このコンテンツ再生装置１０は、所望の記録媒体（例えば、ＣＤ−ＲＯＭ、ＭＯディスク、ＤＶＤディスク、光磁気ディスクなどの可搬用の記録媒体、またはハードディスクドライブ（ＨＤＤ）などの固定用の記録媒体など）からの読み出し処理、またはサーバ装置からネットワークを介して取得する取得処理によって得られるコンテンツ（例えば、音声、動画、画像、テキストその他の情報）を再生するものである。
【００２４】
ここで、本実施例１に係るコンテンツ再生装置１０は、コンテンツに色情報を対応付けて記憶し、このようにして記憶されたコンテンツのうち、コンテンツの指定として受け付けた色の指定に対応するコンテンツを再生する「コンテンツ再生処理」に主たる特徴がある。
【００２５】
つまり、このコンテンツ再生装置１０では、コンテンツに係る色の指定を受け付け、このコンテンツに係る色の指定に対応するコンテンツを再生することで、コンテンツの内容と直感的に結びつく色印象の指定をもとにユーザが所望するコンテンツを再生することができ、コンテンツ再生に係るユーザビリティを向上させることができるようにしている。
【００２６】
（コンテンツ再生装置の構成）
ここで、図１の説明に戻り、本実施例１に係るコンテンツ再生装置の構成を具体的に説明する。同図に示すように、このコンテンツ再生装置１０は、入力部１１ａと、表示部１１ｂと、スピーカ１２と、記憶部１３と、制御部１４とを備える。
【００２７】
このうち、入力部１１ａは、ハードスイッチやタッチパネルなど利用者からの入力操作を受け付けるインターフェースであり、具体的には、図３に示すように、コンテンツに係る色の指定を受け付けたり、コンテンツに対する色印象の設定を受け付けたりする。なお、本実施例１では、音楽コンテンツを音声出力する実施例を説明することとする。
【００２８】
表示部１１ｂは、液晶パネルやディスプレイなどの表示デバイスであり、具体的には、図３に示すように、コンテンツに係る色の指定を受け付けるカラーマップを表示する。なお、本実施例１では、入力部１１ａと表示部１１ｂの両者を合わせて表示入力部１１として構成する。
【００２９】
このように、コンテンツに係る色の指定を表示部で表示されたカラーマップ上で受け付ける構成を採用することで、コンテンツから得られる色印象を正確に色の指定に反映することが可能になる。
【００３０】
記憶部１３は、各種処理に必要なデータおよびプログラムを格納する格納手段（記憶手段）であり、本発明に関連するものとしては、色情報記憶部１３ａと、コンテンツの実データを記憶するコンテンツ記憶部１３ｂとを備える。
【００３１】
このうち、色情報記憶部１３ａは、コンテンツに色情報を対応付けて記憶する記憶手段であり、具体的には、コンテンツに色の要素を対応付けて記憶している。例えば、図２に示すように、コンテンツ（ファイル名）「Ｊａｚｚ．ａａａ」に色の要素「Ｂ（青）」を、「Ｒｏｃｋ．ｂｂｂ」に「Ｒ（赤）」を、「Ｊａｚｚ．ｃｃｃ」に「Ｂ（青）」を対応付けて記憶している。
【００３２】
また、色情報記憶部１３ａは、「コンテンツ」や「色の要素」以外のフィールドとして、コンテンツの「実アドレス」、コンテンツの「作成日時」、コンテンツの「更新日時」などコンテンツの属性に係る情報のフィールドを有する。なお、コンテンツに対応付けられる「色の要素」は、ユーザから表示入力部１１を介して受け付けても良いし、コンテンツ記憶部１３ｂにコンテンツが記憶される際に自動的に分類するようにしても良い。
【００３３】
制御部１４は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、コンテンツ再生処理部１４ａを備える。
【００３４】
コンテンツ再生処理部１４ａは、色情報記憶部１３ａによって記憶されたコンテンツのうち、表示入力部１１で受け付けた色の指定に対応するコンテンツを再生する処理部である。具体的には、表示入力部１１で受け付けた色の指定から色の要素の配分を取得し、当該色の要素の配分に応じた割合で各色の要素のコンテンツをコンテンツ記憶部１３ｂから抽出して再生する。
【００３５】
より詳細には、図３に示すように、コンテンツ再生処理部１４ａは、表示入力部１１で受け付けた色指定範囲２００における色の配分「Ｒ（６９），Ｇ（６９），Ｂ（６９）」を取得し、当該色の要素の配分「Ｒ（６９），Ｇ（６９），Ｂ（６９）」をもとに各色の要素ごとのコンテンツの再生割合「Ｒ：Ｇ：Ｂ＝１：１：１」を決定する。
【００３６】
続いて、コンテンツ再生処理部１４ａは、コンテンツの再生割合「Ｒ：Ｇ：Ｂ＝１：１：１」に基づいて再生するコンテンツの色の要素（例えば、色の要素を「Ｂ」とする。）をランダムに決定し、その後、決定した色の要素「Ｂ」のコンテンツの中から再生対象となるコンテンツ（例えば、「Ｊａｚｚ．ａａａ」とする。）をランダムにコンテンツ記憶部１３ｂから抽出（読出）し、この「Ｊａｚｚ．ａａａ」の音声信号をスピーカ１２で音声出力する。
【００３７】
そして、この「Ｊａｚｚ．ａａａ」の再生が終了した後に、コンテンツ再生処理部１４ａは、コンテンツの再生割合「Ｒ：Ｇ：Ｂ＝１：１：０」に基づいて再生するコンテンツの色の要素（例えば、色の要素を「Ｒ」とする。）をランダムに決定し、その後、決定した色の要素「Ｒ」のコンテンツの中から再生対象となるコンテンツ（例えば、「Ｒｏｃｋ．ｂｂｂ」とする。）をランダムにコンテンツ記憶部１３ｂから抽出（読出）し、この「Ｒｏｃｋ．ｂｂｂ」の音声信号をスピーカ１２で音声出力する。
【００３８】
また、この「Ｒｏｃｋ．ｂｂｂ」の再生が終了した後に、コンテンツ再生処理部１４ａは、コンテンツの再生割合「Ｒ：Ｇ：Ｂ＝０：１：０」に基づいて再生するコンテンツの色の要素（例えば、色の要素を「Ｇ」とする。）をランダムに決定し、その後、決定した色の要素「Ｒ」のコンテンツの中から再生対象となるコンテンツ（例えば、「Ｃｌａｓｓｉｃ．ｃｃｃ」とする。）をランダムにコンテンツ記憶部１３ｂから抽出（読出）し、この「Ｃｌａｓｓｉｃ．ｃｃｃ」の音声信号をスピーカ１２で音声出力する。
【００３９】
このようにして、「コンテンツ再生の停止指示または中断指示」或いは「コンテンツ再生装置１０の電源ＯＦＦ指示」を受け付けるまで、コンテンツの再生割合に基づく色の要素の決定、決定した色の要素が設定されたコンテンツの抽出（読出）、抽出したコンテンツの再生を回帰的に繰り返しおこなう。
【００４０】
このように、コンテンツに色の要素を対応付けて記憶し、受け付けた色の指定から色の要素の配分を取得し、当該色の要素の配分に応じた割合で各色の要素のコンテンツを抽出して再生することとしたので、ユーザが所望する色印象に主眼を置いたコンテンツの連続再生をおこなうことができ、コンテンツ再生に係るユーザビリティを効果的に向上させることが可能になる。
【００４１】
（各種処理の手順）
次に、本実施例１に係るコンテンツ再生装置の各種処理の手順を説明する。図４は、コンテンツ再生処理の手順を示すフローチャートである。このコンテンツ再生処理は、当該コンテンツ再生装置１０が起動している場合に、ユーザからコンテンツに係る色の指定を表示入力部１１で受け付けたならば、開始されることとなる。
【００４２】
同図を示すように、ユーザからコンテンツに係る色の指定（例えば、「＃６９６９６９６」）を表示入力部１１で受け付けたならば（ステップＳ４０１肯定）、コンテンツ再生処理部１４ａは、表示入力部１１で受け付けた色指定範囲２００における色の配分「Ｒ（６９），Ｇ（６９），Ｂ（６９）」を取得する（ステップＳ４０２）。
【００４３】
そして、コンテンツ再生処理部１４ａは、当該色の要素の配分「Ｒ（６９），Ｇ（６９），Ｂ（６９）」をもとに各色の要素ごとのコンテンツの再生割合「Ｒ：Ｇ：Ｂ＝１：１：１」を決定する（ステップＳ４０３）。
【００４４】
続いて、コンテンツ再生処理部１４ａは、コンテンツの再生割合「Ｒ：Ｇ：Ｂ＝１：１：１」に基づいて再生するコンテンツの色の要素（例えば、色の要素を「Ｂ」とする。）をランダムに決定する（ステップＳ４０４）。
【００４５】
その後、コンテンツ再生処理部１４ａは、決定した色の要素「Ｂ」のコンテンツの中から再生対象となるコンテンツ（例えば、「Ｊａｚｚ．ａａａ」とする。）をランダムにコンテンツ記憶部１３ｂから抽出（読出）し（ステップＳ４０５）、この「Ｊａｚｚ．ａａａ」の音声信号をスピーカ１２で音声出力する（ステップＳ４０６）。
【００４６】
なお、コンテンツの再生が終了したならば、コンテンツ再生処理部１４ａは、「コンテンツ再生の停止指示または中断指示」或いは「コンテンツ再生装置１０の電源ＯＦＦ指示」を受け付けるまで、コンテンツの再生割合に基づく色の要素の決定（ステップＳ４０４）、決定した色の要素が設定されたコンテンツの抽出（ステップＳ４０５）、抽出したコンテンツの再生（ステップＳ４０６）を回帰的に繰り返しておこなう。
【００４７】
上述してきたように、本実施例１に係るコンテンツ再生装置１０によれば、コンテンツに色の要素を対応付けて記憶し、受け付けた色の指定から色の要素の配分を取得し、当該色の要素の配分に応じた割合で各色の要素のコンテンツを抽出して再生することとしたので、ユーザが所望する色印象に主眼を置いたコンテンツの連続再生をおこなうことができ、コンテンツ再生に係るユーザビリティをより効果的に向上させることが可能になる。
【実施例２】
【００４８】
次に、本実施例２に係るコンテンツ再生装置について説明する。本実施例２では、本発明に係るコンテンツ再生装置を車両に搭載した場合の好適な実施例を説明する。図５は、本実施例２に係るＡＶユニットの構成を示すブロック図である。同図に示すように、このＡＶユニット２０は、所望のコンテンツ（例えば、動画、画像、テキストその他の情報）を再生するものである。
【００４９】
ここで、本実施例２に係るＡＶユニット２０は、人の心理状態ごとに、該心理状態に適したコンテンツを対応付けて記憶し、自車両の運転状況および／または自車両に係る環境から運転者の心理状態を推定し、記憶されたコンテンツのうち運転者の心理状態に適したコンテンツを再生する点に主たる特徴がある。
【００５０】
すなわち、上記の従来技術では、ユーザの心理状態がどのような心理状態であるかにかかわらず、指定されたコンテンツを画一的に再生するものであるため、ユーザの心理状態を車両の運転に好ましくない状態へ誘導するコンテンツを再生してしまうおそれがあるという問題点がある。例えば、運転者が興奮状態にあるときに暴力的な動画コンテンツなどを再生した場合には、運転者を極度の興奮状態へ誘導することとなり、周辺車両への威嚇行為や粗暴な車両走行を誘発し、最悪の場合、車両事故を引き起こすこともあり得る。
【００５１】
そこで、本実施例２に係るＡＶユニット２０では、人の心理状態ごとに、該心理状態に適したコンテンツを対応付けて記憶し、自車両の運転状況および／または自車両に係る環境から運転者の心理状態を推定し、記憶されたコンテンツのうち運転者の心理状態に適したコンテンツを再生することで、運転者の心理状態を車両の運転に好ましい心理状態に誘導することができるようにしている。
【００５２】
（ＡＶユニットの構成）
ここで、図５の説明に戻り、本実施例２に係るＡＶユニットの構成を具体的に説明する。同図に示すように、このＡＶユニット２０は、当該ＡＶユニット２０とナビゲーションユニット３０との間で各種情報の通信を制御する通信制御ＩＦ部２３と、入力部２１ａと、表示部２１ｂと、スピーカ２２と、記憶部２４と、制御部２５とを備え、ナビゲーションユニット３０と相互に通信可能に接続されている。
【００５３】
このナビゲーションユニット３０は、自車両の現在位置および進行方向などの情報を人工衛星、地磁気計および走行距離計などを利用して測定し、該測定結果を出力表示装置（コンテンツ表示装置１０）に出力することによって利用者（運転者）に提示するものであり、人工衛星から発信される位置情報を取得するＧＰＳ受信機３１と、電波ビーコン、光ビーコンおよびＦＭ放送局から送信される道路交通情報を受信するＶＩＣＳ受信機３２と、自車両の速度を検出する車速センサ３３とを備える。なお、かかるナビゲーションユニット３０は、車速センサ３３で取得された自車両の速度情報を所定時間について蓄積し、所定期間が経過するごとに蓄積した自車両の速度情報を後述する心理状態推定部２５ａに出力する。
【００５４】
入力部２１ａは、ハードスイッチやタッチパネルなど利用者からの入力操作を受け付けるインターフェースであり、具体的には、図３に示すように、コンテンツに係る色の指定を受け付けたり、コンテンツに対する色印象の設定を受け付けたりする。なお、本実施例２では、音声を含む映像コンテンツを再生する実施例を説明することとする。
【００５５】
表示部２１ｂは、液晶パネルやディスプレイなどの表示デバイスであり、具体的には、図３に示すように、コンテンツに係る色の指定を受け付けるカラーマップを表示したり、映像コンテンツ（例えば、動画、画像、テキストなどの情報）を表示したりする。なお、本実施例２においても、入力部２１ａと表示部２１ｂの両者を合わせて表示入力部２１として構成する。
【００５６】
記憶部２４は、各種処理に必要なデータおよびプログラムを格納する格納手段（記憶手段）であり、本発明に関連するものとしては、適性コンテンツ記憶部２４ａと、コンテンツの実データを記憶するコンテンツ記憶部２４ｂとを備える。
【００５７】
このうち、適性コンテンツ記憶部２４ａは、人の心理状態ごとに、該心理状態に適したコンテンツを対応付けて記憶する記憶手段である。具体的には、図７に示すように、心理状態「興奮度１」に適性コンテンツ「Ｇ成分が所定の配分以上であるコンテンツ」を対応付けて記憶している。
【００５８】
また、適性コンテンツ記憶部２４ａは、「心理状態」や「適性コンテンツ」以外のフィールドとして、例えば、Ｇ成分が所定の配分以上であるコンテンツの「実アドレス」や該コンテンツの「作成日時」および「更新日時」などコンテンツの属性に係る情報のフィールドを有する。なお、心理状態に対応付けられる「適性コンテンツ」は、ユーザから表示入力部２１を介して受け付けても良いし、コンテンツ記憶部２４ｂにコンテンツが記憶される際に自動的に分類するようにしても良い。
【００５９】
制御部２５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、心理状態推定部２５ａおよびコンテンツ再生処理部２５ｂを備える。
【００６０】
このうち、心理状態推定部２５ａは、自車両の運転状況および／または自車両に係る環境から運転者の心理状態を推定する処理部であり、具体的には、車速センサ３３から所定の期間（例えば、６０秒）についての自車両の速度情報を取得し、該取得した自車両の速度情報をもとに運転者の心理状態を推定する。
【００６１】
より詳細には、心理状態推定部２５ａは、車速センサ３３から取得した所定の期間（例えば、６０秒）についての自車両の速度情報から、１秒間に「３０Ｋｍ／ｈ」の加速（すなわち、加速度「３０Ｋｍ／ｓ2」）を検出したならば「急加速」（例えば、時刻「ｔ3」〜「ｔ4」の区間）がおこなわれたと推定し、１秒間に「３０Ｋｍ／ｈ」の減速（すなわち、加速度「−３０Ｋｍ／ｓ2」）を検出したならば「急減速」（例えば、時刻「ｔ1」〜「ｔ2」の区間）がおこなわれたと推定する（図６参照）。
【００６２】
ここで、心理状態推定部２５ａは、所定の期間内に「急加速」がおこなわれたと推定した場合には、運転者の心理状態が「興奮度１」であると推定し、所定の期間内に「急加速」がおこなわれ、かつこの「急加速」がおこなわれる前の減速が「急減速」であると推定した場合には、運転者の心理状態が「興奮度２」であると推定する。また、所定の期間内に「急加速」がおこなわれなかったと推定した場合には、運転者の心理状態が「興奮度０」であると推定する。なお、この「興奮度」の推定条件は、上記の条件に限定されるものでなく、例えば「急加速」の回数で「興奮度」のレベルを推定するようにしても良いし、所定の回数を超えなければ推定結果を無視するようにしても良い。
【００６３】
コンテンツ再生処理部２５ｂは、適性コンテンツ記憶部２４ａによって記憶されたコンテンツのうち、心理状態推定部２５ａによって推定された運転者の心理状態に適したコンテンツを再生する処理部である。
【００６４】
より詳細には、コンテンツ再生処理部２５ｂは、心理状態推定部２５ａによって運転者の心理状態が「興奮度１」であると推定された場合には、「Ｇ成分が所定の配分以上であるコンテンツ」をコンテンツ記憶部２４ｂから抽出し、該抽出したコンテンツの映像信号を表示部２１ｂで表示し、このコンテンツの音声信号をスピーカ２２で音声出力する。かかる「興奮度１」のように、運転者が興奮気味である場合には、自然、癒し、安心感や安定、調和などの印象を鑑賞者に与える色である「緑」の成分が多い映像コンテンツ（例えば、森林の映像など）を表示する。
【００６５】
また、コンテンツ再生処理部２５ｂは、心理状態推定部２５ａによって運転者の心理状態が「興奮度２」であると推定された場合には、「Ｂ成分が所定の配分以上であるコンテンツ」をコンテンツ記憶部２４ｂから抽出し、該抽出したコンテンツの映像信号を表示部２１ｂで表示し、このコンテンツの音声信号をスピーカ２２で音声出力する。かかる「興奮度２」のように、運転者が興奮している場合には、抑制、内側、内面回顧などの印象を鑑賞者に与える色である「青」の成分が多い映像コンテンツ（例えば、海の映像など）を表示する。
【００６６】
また、コンテンツ再生処理部２５ｂは、心理状態推定部２５ａによって運転者の心理状態が「興奮度０」であると推定された場合には、現在表示されている映像コンテンツや音楽コンテンツをそのまま再生する。
【００６７】
なお、運転中は、映像コンテンツとして、壁紙などの映像（すなわち、頻繁に映像が変化しないコンテンツ）が再生され、停車又は駐車中には、動画のコンテンツが再生される構成とすることも可能である。また、ナビゲーション画面を表示する場合には、ナビゲーション画面を運転者の心理状態に適した「色」を有する画面にカスタマイズするようにしても良い。
【００６８】
（各種処理の手順）
次に、本実施例２に係るＡＶユニットの各種処理の手順を説明する。図８は、本実施例２に係るＡＶユニットの処理手順を示すフローチャートである。この処理は、ＡＶユニットが起動している場合に、所定周期（例えば、６０秒）ごとにおこなわれるものである。
【００６９】
同図に示すように、前回の処理から所定周期（例えば、６０秒）が経過した場合（ステップＳ８０１肯定）に、心理状態推定部２５ａは、車速センサ３３から所定の期間についての自車両の速度情報を取得する（ステップＳ８０２）。
【００７０】
ここで、心理状態推定部２５ａは、所定の期間内（例えば、６０秒）に「急加速」がおこなわれ、かつこの「急加速」がおこなわれる前の減速が「急減速」であると推定した場合（ステップＳ８０３肯定かつステップＳ８０４肯定）には、運転者の心理状態が「興奮度２」であると推定する（ステップＳ８０５）。
【００７１】
また、心理状態推定部２５ａは、所定の期間内に「急加速」がおこなわれたと推定した場合（ステップＳ８０３肯定かつステップＳ８０４否定）には、運転者の心理状態が「興奮度１」であると推定し（ステップＳ８０６）、また、所定の期間内に「急加速」がおこなわれなかったと推定した場合（ステップＳ８０３否定）には、運転者の心理状態が「興奮度０」であると推定する（ステップＳ８０７）。
【００７２】
そして、コンテンツ再生処理部２５ｂは、心理状態推定部２５ａによって推定された運転者の心理状態に適したコンテンツを再生する（ステップＳ８０８）。具体的には、運転者の心理状態が「興奮度２」であると推定された場合には、「Ｂ成分が所定の配分以上であるコンテンツ」を再生し、運転者の心理状態が「興奮度１」であると推定された場合には、「Ｇ成分が所定の配分以上であるコンテンツ」を再生し、運転者の心理状態が「興奮度０」であると推定された場合には、現在表示されている映像コンテンツや音楽コンテンツをそのまま再生する。
【００７３】
このようにして、ＡＶユニット２０の電源ＯＦＦ指示または適性コンテンツの再生中止指示を受け付けるまで、上記のステップＳ８０１〜Ｓ８０８の処理が回帰的に繰り返しておこなわれることとなる。
【００７４】
上述してきたように、本実施例２に係るＡＶユニット２０によれば、人の心理状態ごとに、該心理状態に適したコンテンツを対応付けて記憶し、自車両の運転状況から運転者の心理状態を推定し、記憶されたコンテンツのうち運転者の心理状態に適したコンテンツを再生することで、運転者の心理状態を車両の運転に好ましい心理状態に誘導することが可能になる。
【実施例３】
【００７５】
さて、これまで本発明の実施例について説明したが、本発明は上述した実施例１および２以外にも、上記特許請求の範囲に記載した技術的思想の範囲内において種々の異なる実施例にて実施されてもよいものである。
【００７６】
例えば、本発明では、表示入力部１１や２１で、任意のコンテンツへの色情報の対応付けをユーザから受け付けるようにしても良い。具体的には、コンテンツ記憶部１３ｂに記憶されたコンテンツのリストの中から色の対応付けをおこなうコンテンツの選択を受け付け、該選択を受け付けたコンテンツに対してユーザが持つ色印象の入力を受け付ける。
【００７７】
すなわち、この表示入力部１１および２１では、図３に示したカラーマップ上で色印象の入力を受け付けたり、ユーザに提示した選択肢（例えば、「赤（Ｒ）」「緑（Ｇ）」「青（Ｂ）」）の中から色印象に合った色の選択入力を受け付けたり、色印象の直接入力指定（例えば、「ＦＦ，００，００」、「Ｒ」や「赤」などの入力）を受け付けたりする。
【００７８】
また、本発明では、コンテンツに各色の要素の配分を対応付けて記憶し、受け付けた色の指定から色の要素の配分を取得し、当該色の要素の配分を満たすコンテンツを抽出して再生するようにしても良い。
【００７９】
具体的に説明すると、ファイル名「Ｊａｚｚ．ａａａ」に色の要素の配分「Ｒ１，Ｇ１，Ｂ１」、「Ｒｏｃｋ．ｂｂｂ」に「Ｒ２，Ｇ２，Ｂ２」・・・を対応付けて記憶する色情報記憶部１３ａを構成する。
【００８０】
そして、コンテンツ再生処理部１４ａは、図１０に示すように、表示入力部１１で受け付けた色指定範囲２１０における色の配分「（００００ＦＦ），（００００ＦＣ），（００００Ｆ３）・・・」を取得し、当該色の要素の配分「（００００ＦＦ），（００００ＦＣ），（００００Ｆ３）・・・」を満たすコンテンツのリスト情報（すなわち、「Ｊａｚｚ．ａａａ」、「Ｊａｚｚ．ｃｃｃ」・・・）を色情報記憶部１３ａから抽出する。
【００８１】
続いて、このコンテンツ再生処理部１４ａは、このようにして抽出したコンテンツのリスト情報からコンテンツの再生リストを作成し、該作成した再生リストをもとにコンテンツ記憶部１３ｂからランダムにコンテンツを抽出して再生したり、かかるコンテンツの再生リストをサムネイル表示したりする。
【００８２】
このように、コンテンツに各色の要素の配分を対応付けて記憶し、受け付けた色の指定から色の要素の配分を取得し、当該色の要素の配分を満たすコンテンツを抽出して再生することで、ユーザが所望するコンテンツを的確に再生することができ、コンテンツ再生に係るユーザビリティをより一層向上させることが可能になる。
【００８３】
なお、実施例１では、音楽コンテンツを再生する実施例について説明したが、本発明はこれに限定されるものではなく、映像コンテンツなどの他のコンテンツを再生する場合でも同様に適用することができる。例えば、映像コンテンツとして「壁紙」を表示する場合には、決定された再生割合に応じて各色の要素の壁紙（例えば、「Ｒ」であれば、「夕日」の壁紙、「Ｇ」であれば、「森林」の壁紙、「Ｂ」であれば、「海」の壁紙など）のフレーム数を割り当てるようにすれば良い。
【００８４】
また、実施例１では、再生するコンテンツの色の要素をランダムに決定し、再生対象として決定された色の要素のコンテンツをランダムに再生することとしたが、本発明はこれに限定されるものではなく、コンテンツの再生に所定の優先順位（例えば、色の要素の中では「赤」を最初に再生、ジャズの中では「Ｊａｚｚ．ａａａ」が最初に再生、などの順位）を設けて再生するようにしても良い。
【００８５】
なお、実施例１および２では、コンテンツに係る色の指定をカラーマップ上で受け付ける実施例について説明したが、本発明はこれに限定されるものではなく、「暖かい」、「冷たい」、「暗い」、「明るい」、「硬い」、「軟らかい」、「落ち着いた」などのコンテンツに対するユーザの色印象に係るキーワードで受け付けるようにしても良い。
【００８６】
また、実施例１および２では、表示入力部（タッチパネル）１１に表示されるカラーマップ上で、色指定範囲２００および色指定範囲２１０のように指による押下によってコンテンツに係る色の指定を受け付ける実施例について説明したが、本発明はこれに限定されるものではなく、マウスなどのポインティングデバイスで一点の色指定を受け付けても良い。また、色の範囲を指定する手法は、色指定範囲２１０の指定手法に限られるものではなく、図１０に示す色指定範囲２２０のように色の範囲の指定を受け付けるようにしても良い。
【００８７】
なお、実施例２では、「赤」、「緑」、「青」のコンテンツを再生することとしたが、本発明はこれに限定されるものではなく、黄色やピンクなどの他の有彩色や、白、黒、灰色などの無彩色など任意の色のコンテンツを再生することができる。
【００８８】
また、実施例２では、正常な状態に比較して運転者の「興奮度」が高い場合に、この「興奮度」が高い状態を抑制する映像コンテンツを再生することとしたが、本発明はこれに限定されるものではく、「興奮度」が低い場合には、炎、血、命、興奮などエネルギーを表す色である「赤」の成分が所定の配分以上であるコンテンツを再生して運転者の心理を鼓舞するようにしても良い。
【００８９】
なお、実施例２では、自車両の速度から運転者の「興奮度」を推定する実施例について説明したが、本発明はこれに限定されるものではなく、他の運転状況や自車両の環境をもとに総合的な心理状態（例えば、運転者の興奮度、緊張度、集中度などを加味した心理状態）を推定するようにしても良い。例えば、車内温度、アクセル開度の度合、ブレーキの踏み込み度合、ハンドルの角速度の変化の度合（操舵角加速度の変化の度合）、撮像画像に対する画像認識処理から得られる瞬きの頻度、クラクション押下の頻度あるいは押圧力、もしくは着座センサから得られる運転者の加重移動の頻度などの自車両の運転状況および自車両の環境のうち、少なくとも１つに基づいて運転者の総合的な心理状態を推定するようにしても良い。
【００９０】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【図面の簡単な説明】
【００９２】
【図１】本実施例１に係るコンテンツ再生装置の構成を示すブロック図である。
【図２】色情報記憶部に記憶される情報の構成例を示す図である。
【図３】コンテンツ再生処理部の処理内容を説明するための説明図である。
【図４】コンテンツ再生処理の手順を示すフローチャートである。
【図５】本実施例２に係るＡＶユニットの構成を示すブロック図である。
【図６】心理状態推定部の処理内容を説明するための説明図である。
【図７】適性コンテンツ記憶部に記憶される情報の構成例を示す図である。
【図８】本実施例２に係るＡＶユニットの処理手順を示すフローチャートである。
【図９】色情報記憶部に記憶される情報の変形例を説明する説明図である。
【図１０】コンテンツ再生処理部でおこなわれる処理内容の変形例を説明するための説明図である。
【符号の説明】
【００９３】
１０    コンテンツ再生装置
１１    表示入力部（タッチパネル）
１１ａ  入力部
１１ｂ  表示部
１２    スピーカ
１３    記憶部
１３ａ  色情報記憶部
１３ｂ  コンテンツ記憶部
１４    制御部
１４ａ  コンテンツ再生処理部
２０    ＡＶユニット
２１    表示入力部（タッチパネル）
２１ａ  入力部
２１ｂ  表示部
２２    スピーカ
２３    通信制御ＩＦ部
２４    記憶部
２４ａ  適性コンテンツ記憶部
２４ｂ  コンテンツ記憶部
２５    制御部
２５ａ  心理状態推定部
２５ｂ  コンテンツ再生処理部
３０    ナビゲーションユニット
３３    車速センサ
【図１】
2006201853.tif 000003
【図２】
2006201853.tif 000004
【図３】
2006201853.tif 000005
【図４】
2006201853.tif 000006
【図５】
2006201853.tif 000007
【図６】
2006201853.tif 000008
【図７】
2006201853.tif 000009
【図８】
2006201853.tif 000010
【図９】
2006201853.tif 000011
【図１０】
2006201853.tif 000012